(57)【要約】【課題】面倒な作業を行うことなく収納スペースの構成を変更することができるコンソールボックスを提供する。【解決手段】上面に開口が形成された有底の矩形凹状の収納部１２を有するコンソールボックス１に、収納部１２内部の左右両側面に形成されたガイド溝１２０と、略板状に形成され、その後端部がガイド溝１２０に摺動自在に支持されると共に、ガイド溝１２０に対して回転自在に支持されるプレート１３と、収納部１２の左右両側面に形成された、プレート１３を支持する凸状の支持部１２１、１２２とを設ける。  そして、プレート１３の後端部をガイド溝１２０に沿って移動させることにより、プレート１３を平行状態に配置して中蓋兼用のトレイとして機能させたり、プレート１３を垂直状態に配置して仕切板として機能させたりできるようになされている。【選択図】図５
2010012941.tif 000002
【特許請求の範囲】
【請求項１】
上面に開口が形成された有底の矩形凹状の収納部を有するコンソールボックスにおいて、
前記収納部内部の左右両側面に形成されたガイド溝と、
略板状に形成され、その後端部が前記ガイド溝に摺動自在に支持されると共に、前記ガイド溝に対して回転自在に支持されるプレートと、
前記収納部内部の左右両側面に形成された、前記プレートを支持する凸状の支持部とを備え、
前記ガイド溝は、前記収納部の前後方向と略平行する方向に形成された第１溝部と、該第１溝部から下方に分岐して前記収納部の底面の位置まで延びる第２溝部とを有し、
前記支持部は、前記第１溝部の下側であって、前記収納部の前後方向と略平行する方向に形成された第１支持面と、前記第２溝部に長手方向側に隣接して形成された第２支持面とを有することを特徴とするコンソールボックス。
【請求項２】
前記第１溝部から分岐する第２溝部は、所定の間隔で複数形成されており、
前記複数の第２溝部のうちの少なくとも一つは、前記収納部の後端部の近傍に形成されていることを特徴とする請求項１に記載のコンソールボックス。
【請求項３】
前記第１溝部は、前記収納部の上端縁の近傍に形成されていることを特徴とする請求項１または請求項２に記載のコンソールボックス。
【発明の詳細な説明】
【技術分野】
【０００１】
本発明は、自動車等の車両の車室内に設けられるコンソールボックスに関する。
【背景技術】
【０００２】
自動車の車室内の運転席と助手席との間にはコンソールボックスが設けられている。例えば、特許文献１には、車室内の運転席と助手席との間に設置されるコンソールボックスの構成が開示されている。
ここで、特許文献１に記載されているコンソールボックスの構成について、図８を参照しながら説明する。
【０００３】
図示するように、コンソールボックス２００は、上面に開口部２１２が形成された収納部２１４を有する略箱状の本体部２１０と、この本体部２１０にヒンジ２３０を介して取付けられ、前記開口部２１２を開閉可能な蓋体２２０とを備えている。
また、前記収納部２１４内部の側面には、仕切板２１５が挿入可能な溝部２１８が形成されている。そして、コンソールボックス２００は、溝部２１８に仕切板２１５を挿入することにより、収納部２１４を所定の空間に仕切って使用するようになされている。
なお、本体部２１０は、収納部２１４の前方に、円柱状の大径の飲料容器（所謂３５０ミリ缶）を支持するための凹部２１６が形成されている。また、仕切板２１５には、貫通孔２１５ａが形成されている。そして、仕切板２１５を凹部２１６に載置することにより、凹部２１６に小径の飲料容器（所謂２５０ミリ缶）を支持できるようになされている。
【０００４】
【特許文献１】特開平１０−３１５８６３号公報
【発明の開示】
【発明が解決しようとする課題】
【０００５】
しかしながら、上述した特許文献１のコンソールボックスは、着脱可能な仕切板により収納部の収納スペースの構成を変更することができるが、以下に示す技術的課題を有している。
具体的には、特許文献１のコンソールボックスは、収納スペースの構成を変更するときに、収納部に形成された溝部に仕切板を挿入したり、溝部に挿入された仕切板を引き抜いたりする作業が必要となる。しかし、車室内という狭い空間のなかで、コンソールボックスの内部に形成された溝部に、仕切板を挿入したり引き抜いたりするのは面倒であった。すなわち、特許文献１のコンソールボックスは、収納スペースの構成を変更するのに手間がかかるという技術的課題を有していた。
【０００６】
本発明は、上記事情に鑑みてなされたものであり、収納部を備えるコンソールボックスにおいて、面倒な作業を行うことなく収納部の収納スペースの構成を変更することができるコンソールボックスを提供することを目的とするものである。
【課題を解決するための手段】
【０００７】
上記課題を解決するための本発明は、上面に開口が形成された有底の矩形凹状の収納部を有するコンソールボックスに適用される。
そして、前記コンソールボックスは、前記収納部内部の左右両側面に形成されたガイド溝と、略板状に形成され、その後端部が前記ガイド溝に摺動自在に支持されると共に、前記ガイド溝に対して回転自在に支持されるプレートと、前記収納部内部の左右両側面に形成された、前記プレートを支持する凸状の支持部とを備え、前記ガイド溝は、前記収納部の前後方向と略平行する方向に形成された第１溝部と、該第１溝部から下方に分岐して前記収納部の底面の位置まで延びる第２溝部とを有し、前記支持部は、前記第１溝部の下側に位置する第１支持面と、前記第２溝部に長手方向側に隣接する第２支持面とを有することを特徴とする。
【０００８】
上記のように構成することにより、ユーザは、プレートの後端部をガイド溝に沿って移動させるだけで、面倒な作業を行うことなく収納部の内部の構成を変更することができる。
例えば、ユーザは、プレートの後端部をガイド溝に沿って移動させ、ガイド溝の第１溝部に配置させると共に、プレートの左右両端部を第１溝部の下側の第１支持面に載置することにより、収納部の内部でプレートを平行状態の位置に配置することができる。これにより、プレートをトレイ兼用の蓋として利用することができる。
また、例えば、ユーザは、プレートの後端部をガイド溝に沿って移動させ、プレートの後端部をガイド溝の第２溝部の下端（底面）まで押し込むと共に、プレートの左右両端部を第２溝部の長手方向側に隣接する第２支持面に支持させることにより、プレートを垂直状態で配置することができる。これにより、プレートが仕切板としての機能を果たすため、ユーザは、収納部のスペースを分割して利用することができるようになる。
【０００９】
また、前記第１溝部から分岐する第２溝部は、所定の間隔で複数形成されており、前記複数の第２溝部のうちの少なくとも一つは、前記収納部の後端部の近傍に形成されていることが望ましい。
このように構成することにより、プレートの後端部を収納部の後端部の近傍に形成されている第２溝部の下端（底面）まで押し込むことにより、プレートを収納部の後端側に配置しておくことができる。そのため、収納部の容量を大きくすることができると共に、使用しないプレート１３を後端部側に配置しておくことができる（プレートを邪魔にならない位置に配置しておくことができる）。
なお、上述した特許文献１のコンソールボックスは、仕切板を利用しない場合に、その利用しない仕切板を収納することについて特に考慮されていない。そのため、上記特許文献１のコンソールボックスでは、仕切板を利用しない場合に、その仕切板が邪魔になっていた。
【００１０】
また、前記第１溝部は、前記収納部の上端縁の近傍に形成されていることが望ましい。
このように、本発明によれば、ユーザは、プレートの後端部をガイド溝に沿って移動させることにより、プレートを上蓋兼用のトレイとして利用できる。
【発明の効果】
【００１１】
このように、本発明によれば、収納部を備えるコンソールボックスにおいて、面倒な作業を行うことなく収納部の収納スペースの構成を変更することができる。
【発明を実施するための最良の形態】
【００１２】
以下、本発明の実施形態について、図面を用いて説明する。
先ず、本実施形態のコンソールボックスの構成について、図１乃至図５を用いて説明する。
図１は、本発明の実施形態のコンソールボックスが設置された車両の車室内を示した斜視図である。また、図２は、図１に示したコンソールボックスのＡ―Ａ断面図である。また、図３は、図１に示したコンソールボックスのＢ−Ｂ断面図である。
また、図４は、本発明の実施形態のコンソールボックスの収納部の内部の側面に形成されたガイド溝および支持部を示した模式図である。また、図５は、本発明の実施形態のコンソールボックスの収納部の内部に配置されるトレイとガイド溝との関係を示した模式図である。
【００１３】
図１に示すように、本実施形態のコンソールボックス１は、車両の車室内の運転席と助手席との間に設置される。
具体的には、コンソールボックス１は、上面に開口部１１が形成された矩形凹状の収納部１２を有する本体部１０と、この本体部１０にヒンジ等（図示しない）を介して取付けられ、前記開口部１１を開閉可能な蓋体部２０とを備えている。また、収納部１２の内部には、略板状に形成されたプレート１３が配置されている。
そして、本実施形態のコンソールボックス１は、後段で説明するように、プレート１３が収納部１２の内部において、３つの異なる位置に配置できるようになされている（図６参照）。
なお、蓋体部２０の構成は特に限定されるものではないが、例えば、蓋体部２０の上面がアームレストとして構成されていてもよい。
また、以下では、説明の便宜上、矩形凹状の収納部１２の内部の前面を１２ａ、左右の両側面をそれぞれ、１２ｂ、１２ｃ、後面を１２ｄ（図３参照）とし、底面を１２ｅとする。
【００１４】
また、図２及び図３に示すように、収納部１２の内部の左右の両側面１２ｂ、１２ｃには、それぞれ、プレート１３を支持するための凸状の支持部１２１ａ、１２１ｂ、１２２ａ、１２２ｂが形成されている。
また、図４に示すように、収納部１２の内部の側面１２ｂには、プレート１３の後端部を摺動自在に支持するためのガイド溝１２０が形成されている。なお、図４には示していないが、側面１２ｂと相対向する側面１２ｃにも、側面１２ｂと同様のガイド溝１２０が形成されている。
【００１５】
ここで、ガイド溝１２０について説明する。
ガイド溝１２０は、コンソールボックス１の前後方向（図１、４に示すＸ方向）と略平行する方向に形成された第１溝部１２０ａと、第１溝部１２０ａから分岐して、第１溝部１２０ａから下方向（図４に示すＹ方向（第１溝部１２０ａと直交する方向））に延びる２つの第２溝部１２０ｂ１、１２０ｂ２とを有する。
【００１６】
具体的には、前記第１溝部１２０ａは、側面１２ｂ（或いは側面１２ｃ）の略中心部をから後端部に向かって形成されている（Ｘ方向に水平に形成されている）。すなわち、第１溝部１２０ａは、一端（始点）が側面１２ｂ（或いは側面１２ｃ）の略中心部に形成され、他端（終点）が側面１２ｂ（或いは側面１２ｃ）の後部（収納部１２の後面１２ｄ側）に形成されている。
また、第２溝部１２０ｂ１は、第１溝部１２０ａの一端（始点）から下側に向けて分岐し（第１溝部１２０ａと直交方向に分岐し）、底面１２ｅまで延設されている。
また、第２溝部１２０ｂ２は、第１溝部１２０ａの他端から所定の長さ寸法分（ｔｍｍ）分だけ前方側の位置から分岐し（第１溝部１２０ａと直交方向に分岐し）、底面１２ｅまで延設されている。
【００１７】
つぎに、上述した支持部１２１ａ、１２１ｂ、１２２ａ、１２２ｂについて説明する。
図２および図４に示すように、支持部１２１ａ、１２１ｂ、１２２ａ、１２２ｂは、いずれも、矩形板状に形成され、下端面が収納部１２の底面１２ｅに配置され、上端面が第１溝部１２０ａの下側に位置するように配置されている。
なお、支持部１２１ａ、１２１ｂ、１２２ａ、１２２ｂは、いずれも、その上端面（第１支持面）が収納部１２の前後方向（Ｘ方向）と平行する方向に形成されている。
また、図３に示すように、支持部１２１ａ、１２１ｂは、第２溝部１２０ｂ１と、第２溝部１２０ｂ２との間に配置されている。また、支持部１２２ａ、１２２ｂは、第２溝部１２０ｂ１と、収納部１２の前面１２ａとの間に配置されている。
【００１８】
また、図５に示すように、プレート１３の後端側の両側面には、摺動部材１３ａが取り付けられている。そして、プレート１３に取り付けられた摺動部材１３ａがガイド溝１２０に挿入されることにより、プレート１３の後端部がガイド溝１２０に沿って摺動自在に支持されると共に、ガイド溝１２０に対して、後端部を中心に回転自在に支持されるようになされている。
そして、プレート１３の後端部をガイド溝１２０に沿って移動させることにより、以下に示すように、プレート１３を３つの位置のうちの任意の位置に配置させることができる。
【００１９】
具体的には、図５（ａ）に示すように、プレート１３の後端部の摺動部材１３ａを第１溝部１２０ａの他端部（終点）に配置させると共に、プレート１３の左右の両側面部を支持部１２１、１２２の上端面（第１支持面）に載置させることにより、プレート１３を収納部１２の中蓋兼用のトレイとして機能させることができる。
【００２０】
また、収納部１２の容量を大きくしたい場合には、ガイド溝１２０に沿ってプレート１３を動かして、図５（ｃ）に示すように、プレート１３を垂直状態にして収納部１２の後端部に配置する。
【００２１】
具体的には、図５（ａ）に示す位置に配置されたプレート１３の先端部を上側に持ち上げると、図５（ｂ）に示すように、プレート１３は、ガイド溝１２０に支持された後端部を中心に回転して、起き上がった状態になる。
そして、上記の起き上がったプレート１３の後端部を第２溝部１２０ｂ２の下端まで移動させると、図５（ｃ）に示すように、プレート１３が、収納部１２の後端部側に起き上がった状態（垂直状態）で配置される。なお、プレート１３は、一方面側が支持部１２１の側面（第２支持面）で支持され、他方面側が収納部１２の後面１２ｄ（図５には示さず）に支持される。なお、支持部１２１の側面（第２支持面）は、第２溝部１２０ｂ２と平行する方向に形成されている。
このように、プレート１３を垂直状態にして、収納部１２の後端側に配置しておくことができるため、収納部１２の容量を大きくすることができる。また、使用しないプレート１３を後端部側に配置しておくことができる（すなわち、プレート１３を邪魔にならない位置に収納することができる）。
【００２２】
また、収納部１２の内部スペースを仕切って利用したい場合には、ガイド溝１２０に沿ってプレート１３を動かし、図５（ｅ）に示すように、プレート１３を垂直状態にして収納部１２の略中央部に配置する。
【００２３】
具体的には、図５（ａ）に示す位置に配置されたプレート１３の先端部を上側に持ち上げてプレート１３を起き上がらせると共に、図５（ｄ）に示すように、プレート１３の後端部を前方側にスライドさせる。
つぎに、図５（ｄ）に示すプレート１３の後端部を第２溝部１２０ｂ１の下端まで移動させると、図５（ｅ）に示すように、プレート１３が、収納部１２の略中央部で起き上がった状態（垂直状態）で配置され、収納部１２の仕切板として機能する。この場合、プレート１３は、一方面側が支持部１２１の側面（第２支持面）で支持され、他方面側が支持部１２２の側面（第２支持面）で支持される。
なお、支持部１２１の側面および支持部１２２の側面は、第２溝部１２０ｂ１と平行する方向に形成されている。
【００２４】
このように、本実施形態によれば、収納部１２の内部に配置されるプレート１３をガイド溝に沿って移動させることにより、簡単に、収納部１２の内部の構成（収納スペースの構成）を変更することができる（コンソールボックス１を目視しなくても、収納部１２の内部の構成を変更することができる）。すなわち、本実施形態によれば、収納スペースの構成を変更するために、従来技術のコンソールボックスのように、収納部の内部に形成された溝部に、仕切板を挿入したり引き抜いたりする必要はない。
そして、例えば、図６（ａ）に示すようにプレート１３を配置させることにより、プレート１３をトレイ兼用の中蓋として利用することができる。
また、例えば、図６（ｂ）に示すようにプレート１３を配置させることにより、プレート１３を仕切板として利用することができる。
また、例えば、図６（ｃ）に示すようにプレート１３を配置することにより、収納部１２の容量を大きくすることができると共に、利用しないプレート１３を後端部側に配置しておくことができる。
【００２５】
すなわち、本実施形態によれば、収納部１２の内部に配置されるプレート１３をガイド溝に沿って移動させるだけで、簡単に、プレート１３をトレイ兼用の中蓋として利用したり（図１、図６（ａ）参照）、プレート１３を収納部１２の仕切板（図６（ｂ）参照）として利用したりすることが可能になる。また、プレート１３を収納部１２の後端部に収納して（図６（ｃ）参照）、収納部１２の容量を大きくすることも可能になる。
【００２６】
以上説明したように、本実施形態によれば、収納部１２を備えるコンソールボックス１において、面倒な設定作業をすることなく、収納部１２の収納スペースの構成を変更することができる。
【００２７】
なお、本発明は、上述した実施形態に限定されるものではなくその要旨の範囲内において種々の変形が可能である。
例えば、上記実施形態では、収納部１２を有する本体部１０と、本体部１０に取付けられた蓋体部２０とを備えたコンソールボックスの内部に、上述したプレート１３、ガイド溝１２０、支持部１２１ａ、１２１ｂ、１２２ａ、１２２ｂを設けているが特にこれに限定されるものではなく、図７に示すように構成されていてもいい。
【００２８】
図７は、本発明の実施形態のコンソールボックスの変形例を示した斜視図である。なお、図７では、説明の便宜上、上述した実施形態のものと同じ構成については同じ符号を付している。
具体的には、図示するように、コンソールボックス２は、上面に開口部１１が形成された矩形凹状の収納部が形成された本体部３０と、収納部の内部に配置されたプレート１３とを備える。
そして、本変形例では、ガイド溝１２０を構成する第１溝部１２０ａの位置を前記実施形態のものから変更して、収納部の上端縁の近傍に設けるようにしている。また、蓋体部２０を設けないようにした。
【００２９】
この構成により、プレート１３の後端部の摺動部材１３ａを第１溝部１２０ａの他端部（終点）に配置させると共に、プレート１３の左右の両側面部を支持部１２１、１２２の上端面に載置させることにより、プレート１３を収納部１２の上蓋兼用のトレイとして機能させることができる。
また、プレート１３の後端部を第２溝部１２０ｂ２の下端まで移動させることにより、収納部１２の容量を大きくすることができる（この場合、使用しないプレート１３が邪魔になることがない）。
また、プレート１３の後端部を第２溝部１２０ｂ１の下端まで移動させることにより、収納部１２の略中央部を仕切る仕切板として機能させることができる。
【００３０】
また、上述した側面１２ｂ（或いは１２ｃ）には、２本の第２溝部１２０ｂ１、１２０ｂ２が形成されているが特にこれに限定されるものではない。例えば、側面１２ｂ（或いは１２ｃ）に３個以上の第２溝部を形成するようにしてもよい。
【００３１】
また、上述した実施形態のコンソールボックスは、運転席と助手席との間に設置されているが、特にこれに限定されるものではない。上述した構成を備えたものであれば、どこに載置されていてもかまわない。
【図面の簡単な説明】
【００３２】
【図１】本発明の実施形態のコンソールボックスが設置された車両の車室内を示した斜視図である。
【図２】図１に示したコンソールボックスのＡ―Ａ断面図である。
【図３】図１に示したコンソールボックスのＢ−Ｂ断面図である。
【図４】本発明の実施形態のコンソールボックスの収納部内部の側面に形成されたガイド溝および支持部を示した模式図である。
【図５】本発明の実施形態のコンソールボックスの収納部に配置されるトレイとガイド溝との関係を示した模式図である。
【図６】本発明の実施形態のコンソールボックスのプレートの配置を示した模式図である。
【図７】本発明の実施形態のコンソールボックスの変形例を示した斜視図である。
【図８】従来技術のコンソールボックスの斜視図である。
【符号の説明】
【００３３】
１、２…コンソールボックス
１０、３０…本体部
１１…開口部
１２…収納部
１２ａ…前面
１２ｂ、１２ｃ…側面
１２ｄ…後面
１２ｅ…底面
１３…プレート
１３ａ…摺動部材
２０…蓋体部
１２０…ガイド溝
１２０ａ…第１溝部
１２０ｂ…第２溝部
１２１ａ、１２１ｂ、１２２ａ、１２２ｂ…支持部
【図１】
2010012941.tif 000003
【図２】
2010012941.tif 000004
【図３】
2010012941.tif 000005
【図４】
2010012941.tif 000006
【図５】
2010012941.tif 000007
【図６】
2010012941.tif 000008
【図７】
2010012941.tif 000009
【図８】
2010012941.tif 000010